(57)【要約】【課題】本発明は、電子写真式印刷装置の走査光が複数本であっても、印刷開始位置を正確に把握することが可能な光走査装置を提供することを課題とする。【解決手段】複数本のレーザ光を用いて感光体を走査する光走査装置を用いた電子写真方式を用いた印刷装置において、前記複数本の各レーザ光を検知するレーザ光検知部材と、該レーザ光検知部材上に実装される放射検出器に照射する為の反射ミラーとを有し、該反射ミラーは、前記複数本のレーザ光のうち任意の１本を前記放射検出器に照射可能な特性を有する。【選択図】　図１
2004053856.tif 000002
【特許請求の範囲】
【請求項１】
複数本のレーザ光を用いて感光体を走査する光走査装置を用いた電子写真方式を用いた印刷装置において、前記複数本の各レーザ光を検知するレーザ光検知部材と、該レーザ光検知部材上に実装される放射検出器に照射する為の反射ミラーとを有し、該反射ミラーは、前記複数本のレーザ光のうち任意の１本を前記放射検出器に照射可能な特性を有することを特徴とする光走査装置。
【発明の詳細な説明】
【０００１】
【発明の属する技術分野】
本発明は、複数本のレーザ光を用いて感光体を走査する光走査装置に関する。
【０００２】
【従来の技術】
図４は、従来の光走査装置の一例を示す概念図である。光源１０１から放射されたレーザ光は、レンズ１０２を通して回転多面体１０３に照射され回転多面体１０３の回転により、非球面レンズ１０４を透過して反射ミラ−４０５、及び、感光体１０６に走査される。また、平面鏡を用いた反射ミラー４０５に走査されたレーザ光は、レーザ光検知部材１０７に実装されている図示されない放射検出器に走査される。レーザ光検知部材１０７の役割は、水平同期信号の生成、すなわち、レーザ光を感光体上で走査する際に、どの位置から印字データを走査させるかを決めることにある。
【０００３】
上記機能を達成するために利用される一般的な検出手段を図５に示す。レーザ光検知部材１０７上に実装されている放射検出器２０１に走査光１１１が照射されると、放射検出器の光電効果により光電流２０２が発生する。この光電流２０２を抵抗２０３にて電圧に変換し、増幅器２０４にて増幅することで図６のような波形を得ることができる。本波形は、後段の波形整形回路２０５にて波形整形後、バッファ回路２０６を通して前述した水平同期信号として印刷制御装置へ出力する構成である。
【０００４】
【発明が解決しようとする課題】
一方、高解像度化、あるいは、印刷速度の高速化への要求が高まるにつれて、一度に走査する走査光の本数は複数本となる場合が多々見られる。走査光が複数になることは、レーザ光検知部材１０７への走査光が複数本になることであり、また、各々の走査光に対して水平同期信号を出力することが必要となる。しかしながら、図４のように反射ミラーに平面鏡を用いると、入射角と反射角が等しい特性を有することから、図７のように放射検出器２０１に対し複数本の走査光が時系列的に且つ同時に照射される。よって、例えば走査光が２本の場合、増幅器２０４にて図８のように累積した電圧波形が得られるが、図５の従来の回路では波形整形回路２０５における閾値が予め設定された値に固定されている為、各々の走査光１１１、１１２に対して水平同期信号を出力できず、各走査光間の印刷開始位置の同期が取れないという問題が発生する。
【０００５】
この問題を打開するには、複数本のレーザ光のうち、任意の１本の走査光のみを放射検出器２０１に照射することである。その一般的な手法は、図９のように放射検出器２０１の前面にＬ＜Ｄなるスリット９０１を設け、物理的に一本の走査光のみを照射することである。この手法により、図３のように各走査光に対する出力パルスを発生させ、従来の走査光検知手段（図６）を用いて各走査光に対する水平同期信号の生成を可能にしていた。
【０００６】
しかし本手法では、スリット９０１の取り付け方や、走査開始位置の調整方法によって任意の走査光が放射検出器を照射した時に、放射検出器２０１の反射光がスリットの内側に反射し、再度放射検出器２０１に照射される現象が発生する場合がある。本現象が発生すると、走査光量によって左右される放射検出器２０１の出力電圧に影響を与え、増幅器２０４の出力波形は図１０のような変位点をもつ信号波形となる。この変位点に波形整形回路２０５の閾値電圧が作用すると、図１０に示すような水平同期信号が結果として得られ、正確な走査開始位置を把握することが出来なくなる。
【０００７】
本発明の目的は、走査光が複数本であっても水平同期信号を各走査光に対し出力可能とするスリットを用いずに、各走査光に対する印刷開始位置を正確に把握することが可能な光走査装置を提供することにある。
【０００８】
【課題を解決するための手段】
上記目的は、複数本のレーザ光を用いて感光体を走査する光走査装置において、放射検出器に対し任意の１本のレーザ光のみを照射可能とする反射ミラーを用いることにより達成される。
【０００９】
【発明の実施の形態】
本発明の一実施例を図１、図２、図３を用いて説明する。図１は本発明となる光走査装置の概念図、図２はレーザ光検知部材の一実施例を示す動作回路のブロック図、図３は本実施例により得られる増幅器２０４の出力波形を示す。本実施例においては放射検出器２０１にホトダイオードを使用し、２本の走査光１１１、１１２を照射する場合の制御を例として説明する。
【００１０】
まず、ホトダイオード２０１に１本目の走査光１１１が反射ミラー１０５による反射光が照射されると、ホトダイオード２０１の光電効果によって光電流２０２が発生する。この光電流２０２は、電流電圧変換抵抗２０３にて電圧に変換される。この変換された電圧は、増幅器２０４にて増幅され、波形整形回路２０５を通してバッファ回路２０６に出力される。１本目の走査光１１１は、反射ミラー１０５を走査するが、ここで用いる反射ミラーは、２本目の走査光１１２が反射ミラー１０５に照射開始される前に１本目の走査光１１１がホトダイオード２０１の照射が終了し、１１３の位置に移動可能な特性を有する、例えば非球面鏡である。従って、ホトダイオード２０１に２本目の走査光１１２が照射される前に図３のように増幅器２０４の出力電圧は初期状態に戻ることができる為、図８のような増幅器２０４の出力電圧が累積することはない。これにより、１本目の走査光１１１に対する水平同期信号を得ることができる。次に、２本目の走査光１１２が照射されると、１本目の走査光１１１の場合と同様にして、走査光１１２に対する水平同期信号を得ることができる。
【００１１】
よって、走査光が複数本であっても、放射検出器２０１の前面にスリットを用いずとも水平同期信号を各々の走査光に対し出力することが可能である。また、本例においては走査光を２本としたが、走査光がそれ以上に増えたとしても同様にして水平同期信号の生成が可能であることは、言うまでもない。
【００１２】
【発明の効果】
以上述べた様に本発明によれば、走査光が複数本であっても水平同期信号を各走査光に対し出力し、各走査光に対する印刷開始位置を正確に把握することが可能な光走査装置を提供することができる。
【図面の簡単な説明】
【図１】本発明の一実施例を示す光走査装置の概念図。
【図２】本発明の一実施例を示すレーザ光検知回路ブロック図。
【図３】本発明の一実施例を示す図２における増幅器の出力波形図。
【図４】従来例における光走査装置の概念図
【図５】従来例におけるレーザ光検知回路ブロック図。
【図６】図５における増幅器の出力波形図。
【図７】従来例の単一走査光用光走査装置を用いて複数本の走査光を放射検出器に照射した場合の説明図。
【図８】従来例の単一走査光用光走査装置を用いて複数本の走査光を放射検出器に照射した場合の増幅器の出力波形図。
【図９】従来例の複数本の走査光を放射検出器に照射する際の走査光路図。
【図１０】図９における放射検出器の信号波形図。
【符号の説明】
１０５・・・反射ミラー、１０７・・・レーザ光検知部材、１１１・・・１本目の走査光、１１２・・・２本目の走査光。
【図１】
2004053856.tif 000003
【図２】
2004053856.tif 000004
【図３】
2004053856.tif 000005
【図４】
2004053856.tif 000006
【図５】
2004053856.tif 000007
【図６】
2004053856.tif 000008
【図７】
2004053856.tif 000009
【図８】
2004053856.tif 000010
【図９】
2004053856.tif 000011
【図１０】
2004053856.tif 000012